【手続補正書】
【提出日】平成18年11月7日(2006.11.7)
【手続補正１】
【補正対象書類名】特許請求の範囲
【補正対象項目名】全文
【補正方法】変更
【補正の内容】
【特許請求の範囲】
【請求項１】
窓開口部から間隙を隔てた位置の室内開口部に昇降自在に配設され、昇降により該室内開口部を開閉可能であって、最下位置まで下降した全閉状態で該窓開口部に配設された室外障子との間に居室空間から仕切られた密閉空間を形成する一方、該最下位置から所定量上昇した隙間形成位置に保持された状態で該室内開口部の底部に通風用隙間を形成するとともに該通風用隙間を介して該居室空間に通じるエアフロー通路を該室外障子との間に形成しうる断熱スクリーンと、
前記断熱スクリーンを昇降させるスクリーン駆動手段と、
前記室外障子と前記断熱スクリーンとの間の前記間隙に配設される温度センサと、
前記間隙の上方部に開口する吸引口、該吸引口に配設されて該吸引口を開閉可能なシャッタ、該シャッタを開閉駆動させるシャッタ駆動手段、該吸引口を介して空気を吸引可能な排気ファン、該排気ファンを駆動させるファン駆動手段を有する排気手段と、
前記温度センサの検知温度に基づいて、前記スクリーン駆動手段、前記シャッタ駆動手段及び前記ファン駆動手段を自動制御可能な制御手段とを備えていることを特徴とするエアフローシステム。
【請求項２】
前記温度センサは、日射による昇温を検知可能な位置に配設されていることを特徴とする請求項１記載のエアフローシステム。
【請求項３】
前記排気ファンは回転速度が可変とされ、前記制御手段は、前記温度センサの検知温度に応じて前記ファン駆動手段を制御して該排気ファンの回転速度を調節するように構成されていることを特徴とする請求項１又は２記載のエアフローシステム。
【請求項４】
前記制御手段は、前記最下位置に在る前記断熱スクリーンが該最下位置から前記隙間形成位置まで一定時間だけ上昇することにより前記通風用隙間が形成されるように、前記スクリーン駆動手段を一定時間だけ作動させるタイマー機能を備えていることを特徴とする請求項１、２又は３記載のエアフローシステム。
【請求項５】
前記制御手段は、前記温度センサの検知温度に基づいて前記スクリーン駆動手段、前記シャッタ駆動手段及び前記ファン駆動手段を自動制御することにより、前記シャッタが開きかつ前記断熱スクリーンが前記隙間形成位置に保持された状態で前記排気ファンが作動するエアフロー運転状態と、前記シャッタが閉じかつ前記断熱スクリーンが前記最下位置に保持された状態で前記排気ファンが停止する運転待機状態とを選択的に切り換えるように構成されていることを特徴とする請求項１、２、３又は４記載のエアフローシステム。
【請求項６】
前記制御手段は、運転開始時における前記温度センサの検知温度が第１設定温度以上であるとき又は該第１設定温度を超えているときは前記エアフロー運転状態を選択する一方、運転開始時における該検知温度が該第１設定温度未満であるとき又は該第１設定温度以下であるときは前記運転待機状態を選択するととともに、エアフロー運転中に該検知温度が該第１設定温度よりも低い第２設定温度以下に低下したとき又は該第２設定温度未満に低下したときは該エアフロー運転状態から該運転待機状態に切り換える一方、運転待機中に該検知温度が該第１設定温度以上に上昇したとき又は該第１設定温度を超える温度まで上昇したときは該運転待機状態から該エアフロー運転状態に切り換えるように構成されていることを特徴とする請求項５記載のエアフローシステム。
【請求項７】
前記制御手段は、運転開始時における前記温度センサの検知温度が設定温度以上であるとき又は該設定温度を超えているときは前記エアフロー運転状態を選択する一方、運転開始時における該検知温度が該設定温度未満であるとき又は該設定温度以下であるときは前記運転待機状態を選択するとともに、エアフロー運転中に該検知温度が該設定温度未満に低下したとき又は該設定温度以下に低下したときは該エアフロー運転状態から該運転待機状態に切り換える一方、運転待機中に該検知温度が該設定温度以上に上昇したとき又は該設定温度を超える温度まで上昇したときは該運転待機状態から該エアフロー運転状態に切り換えるように構成されていることを特徴とする請求項５記載のエアフローシステム。
【請求項８】
前記制御手段による前記スクリーン駆動手段、前記シャッタ駆動手段及び前記ファン駆動手段の自動制御を可能にするエアフロースイッチと、前記シャッタを開けた状態に維持しつつ前記排気ファンを作動させる換気スイッチと、前記シャッタを閉じた状態に維持しつつ前記排気ファンの作動を停止する停止スイッチとを具備する運転モード切換用の操作パネルを備えていることを特徴とする請求項１、２、３、４、６又は７記載のエアフローシステム。
【請求項９】
前記操作パネルは、前記スクリーン駆動手段を駆動させて前記断熱スクリーンを任意に昇降させるスクリーン昇降スイッチを具備していることを特徴とする請求項８記載のエアフローシステム。
【請求項１０】
前記排気手段は、天井部に配設される排気ダクトを有し、該排気ダクトの一端側に前記吸引口が形成されるとともに該排気ダクト内に前記排気ファンが配設されていることを特徴とする請求項１、２、３、４、５、６、７、８又は９記載のエアフローシステム。
【請求項１１】
前記排気手段は、前記窓開口部内であって前記室外障子の上方に配設される筺体を有し、該筺体の一側面に前記吸引口が形成されるとともに該筺体内に前記排気ファンが配設され、該窓開口部の一部により排気口が構成されていることを特徴とする請求項１、２、３、４、５、６、７、８又は９記載のエアフローシステム。
【請求項１２】
窓開口部から間隙を隔てた位置の室内開口部に昇降自在に配設され、昇降により該室内開口部を開閉可能であって、最下位置まで下降した全閉状態で該窓開口部に配設された室外障子との間に居室空間から仕切られた密閉空間を形成する一方、該最下位置から所定量上昇した隙間形成位置に保持された状態で該室内開口部の底部に通風用隙間を形成するとともに該通風用隙間を介して該居室空間に通じるエアフロー通路を該室外障子との間に形成しうる断熱スクリーンと、
前記室外障子と前記断熱スクリーンとの間の前記間隙に配設される温度センサと、
前記間隙の上方部に開口する吸引口、該吸引口に配設されて該吸引口を開閉可能なシャッタ及び該吸引口を介して空気を吸引可能な排気ファンを有する排気手段とを備えていることを特徴とするエアフローシステム。
【請求項１３】
前記温度センサは、日射による昇温を検知可能な位置に配設されていることを特徴とする請求項１２記載のエアフローシステム。
【請求項１４】
前記排気ファンは回転速度が可変とされていることを特徴とする請求項１２又は１３記載のエアフローシステム。
【請求項１５】
前記排気手段は、天井部に配設される排気ダクトを有し、該排気ダクトの一端側に前記吸引口が形成されるとともに該排気ダクト内に前記排気ファンが配設されていることを特徴とする請求項１２、１３又は１４記載のエアフローシステム。
【請求項１６】
前記排気手段は、前記窓開口部内であって前記室外障子の上方に配設される筺体を有し、該筺体の一側面に前記吸引口が形成されると共に該筺体内に前記排気ファンが配設され、該窓開口部の一部により排気口が構成されていることを特徴とする請求項１２、１３又は１４記載のエアフローシステム。
【請求項１７】
請求項１２、１３、１４、１５又は１６のいずれかに記載のエアフローシステムの使用方法であって、
前記温度センサの検知温度に基づいて前記断熱スクリーン、前記シャッタ及び前記排気ファンを操作することにより、該シャッタが開きかつ該断熱スクリーンが前記隙間形成位置に保持された状態で該排気ファンが作動するエアフロー運転状態と、該シャッタが閉じかつ該断熱スクリーンが前記最下位置に保持された状態で該排気ファンが停止する運転待機状態とを選択的に切り換えるように使用されることを特徴とするエアフローシステムの使用方法。
【請求項１８】
前記温度センサの検知温度が所定温度以上であるとき又は該検知温度が所定温度を超えているときは、前記シャッタが開き、かつ、前記断熱スクリーンが前記隙間形成位置に保持された状態で、前記排気ファンが作動するように使用される一方、前記温度センサの検知温度が所定温度未満であるとき又は該検知温度が所定温度以下であるときは、前記シャッタが閉じ、かつ、前記断熱スクリーンが前記最下位置に保持された状態で、前記排気ファンが停止するように使用されることを特徴とする請求項１７記載のエアフローシステムの使用方法。
【手続補正２】
【補正対象書類名】明細書
【補正対象項目名】００１１
【補正方法】変更
【補正の内容】
【００１１】
（１）上記課題を解決する請求項１に記載のエアフローシステムは、窓開口部から間隙を隔てた位置の室内開口部に昇降自在に配設され、昇降により該室内開口部を開閉可能であって、最下位置まで下降した全閉状態で該窓開口部に配設された室外障子との間に居室空間から仕切られた密閉空間を形成する一方、該最下位置から所定量上昇した隙間形成位置に保持された状態で該室内開口部の底部に通風用隙間を形成するとともに該通風用隙間を介して該居室空間に通じるエアフロー通路を該室外障子との間に形成しうる断熱スクリーンと、前記断熱スクリーンを昇降させるスクリーン駆動手段と、前記室外障子と前記断熱スクリーンとの間の前記間隙に配設される温度センサと、前記間隙の上方部に開口する吸引口、該吸引口に配設されて該吸引口を開閉可能なシャッタ、該シャッタを開閉駆動させるシャッタ駆動手段、該吸引口を介して空気を吸引可能な排気ファン、該排気ファンを駆動させるファン駆動手段を有する排気手段と、前記温度センサの検知温度に基づいて、前記スクリーン駆動手段、前記シャッタ駆動手段及び前記ファン駆動手段を自動制御可能な制御手段とを備えていることを特徴とするものである。
【手続補正３】
【補正対象書類名】明細書
【補正対象項目名】００２２
【補正方法】変更
【補正の内容】
【００２２】
好適な態様において、前記排気手段は、前記窓開口部内であって前記室外障子の上方に配設される筺体を有し、該筺体の一側面に前記吸引口が形成されるとともに該筺体内に前記排気ファンが配設され、該窓開口部の一部により排気口が構成されている。
（２）上記課題を解決する請求項１２に記載のエアフローシステムは、窓開口部から間隙を隔てた位置の室内開口部に昇降自在に配設され、昇降により該室内開口部を開閉可能であって、最下位置まで下降した全閉状態で該窓開口部に配設された室外障子との間に居室空間から仕切られた密閉空間を形成する一方、該最下位置から所定量上昇した隙間形成位置に保持された状態で該室内開口部の底部に通風用隙間を形成するとともに該通風用隙間を介して該居室空間に通じるエアフロー通路を該室外障子との間に形成しうる断熱スクリーンと、前記室外障子と前記断熱スクリーンとの間の前記間隙に配設される温度センサと、前記間隙の上方部に開口する吸引口、該吸引口に配設されて該吸引口を開閉可能なシャッタ及び該吸引口を介して空気を吸引可能な排気ファンを有する排気手段とを備えていることを特徴とするものである。
好適な態様において、前記温度センサは、日射による昇温を検知可能な位置に配設されている。
好適な態様において、前記排気ファンは回転速度が可変とされている。
好適な態様において、前記排気手段は、天井部に配設される排気ダクトを有し、該排気ダクトの一端側に前記吸引口が形成されるとともに該排気ダクト内に前記排気ファンが配設されている。
好適な態様において、前記排気手段は、前記窓開口部内であって前記室外障子の上方に配設される筺体を有し、該筺体の一側面に前記吸引口が形成されると共に該筺体内に前記排気ファンが配設され、該窓開口部の一部により排気口が構成されている。
（３）請求項１７に記載のエアフローシステムの使用方法は、前記エアフローシステムの使用方法であって、前記温度センサの検知温度に基づいて前記断熱スクリーン、前記シャッタ及び前記排気ファンを操作することにより、該シャッタが開きかつ該断熱スクリーンが前記隙間形成位置に保持された状態で該排気ファンが作動するエアフロー運転状態と、該シャッタが閉じかつ該断熱スクリーンが前記最下位置に保持された状態で該排気ファンが停止する運転待機状態とを選択的に切り換えるように使用されることを特徴とする。
好適な態様において、前記温度センサの検知温度が所定温度以上であるとき又は該検知温度が所定温度を超えているときは、前記シャッタが開き、かつ、前記断熱スクリーンが前記隙間形成位置に保持された状態で、前記排気ファンが作動するように使用される一方、前記温度センサの検知温度が所定温度未満であるとき又は該検知温度が所定温度以下であるときは、前記シャッタが閉じ、かつ、前記断熱スクリーンが前記最下位置に保持された状態で、前記排気ファンが停止するように使用される。
【手続補正４】
【補正対象書類名】明細書
【補正対象項目名】００２３
【補正方法】変更
【補正の内容】
【００２３】
（１）請求項１乃至１１に記載のエアフローシステムによれば、室外障子と断熱スクリーンとの間の間隙、すなわち前記密閉空間又は前記エアフロー通路内の空気温度を温度センサにより検知し、制御手段が検知温度に基づいて排気の要否を判断するとともにスクリーン駆動手段、シャッタ駆動手段及びファン駆動手段を自動制御することにより、適切なタイミングでエアフローを働かせることができる。
【手続補正５】
【補正対象書類名】明細書
【補正対象項目名】００２５
【補正方法】変更
【補正の内容】
【００２５】
また、このようなエアフローシステムにおける作動を制御手段により自動制御することができるので、使用者による煩わしい操作が不要となり、常に最適な省エネ運転を容易に継続することが可能となる。
（２）請求項１２乃至１８に記載のエアフローシステム又はエアフローシステムの使用方法によれば、室外障子と断熱スクリーンとの間の間隙、すなわち前記密閉空間又は前記エアフロー通路内の空気温度を温度センサにより検出して、排気が必要か否かを判断することにより、適切なタイミングでエアフローを働かせることができる。
したがって、排気する必要がない場合にエアフローが不必要に働いてエネルギ損失を招くようなことがなく、室内における空調負荷を確実に軽減させて省エネルギ化を図ることが可能となる。